(57)【要約】【課題】特定の入賞口への入球と連動して複数の可変入賞装置を作動させる開閉リンク機構自体を軽微な部材で構成できながら、スムースな作動が得られるところの遊技機を提供すること。【解決手段】複数の可変入賞装置と少なくとも１つの特別入賞口とが設けられ、前記複数の可変入賞装置を開放させる開放リンク機構を設け、前記特別入賞口に入賞した遊技球に接当してリンク作動部材が、その遊技球の位置エネルギーを用いて前記開放リンク機構を往動させて前記複数の可変入賞装置を開放させると共に前記開放リンク機構に分散配置した錘の位置エネルギーを用いて復動させるように構成してある。【選択図】  図２２
2008119187.tif 000002
【特許請求の範囲】
【請求項１】
各種入賞部を有する遊技盤に遊技球を流下させて、これら入賞部に遊技球を入球させ、当該入球を検知して所定の賞球を払い出すように構成した遊技機であって、
複数の可変入賞装置と少なくとも１つの特別入賞口とが設けられ、
前記複数の可変入賞装置を開放させる開放リンク機構を設け、
前記特別入賞口に、入賞した遊技球を流下させる球通路が連設され、
前記球通路に臨まされて前記遊技球に接当するリンク作動部材が前記開放リンク機構に連動連結して設けられ、
前記開放リンク機構を、遊技球の位置エネルギーを用いて前記リンク作動部材により往動させて前記複数の可変入賞装置を開放させると共に前記開放リンク機構の分散配置した錘の位置エネルギーを用いて復動させるように構成してある、
ことを特徴とする遊技機。
【発明の詳細な説明】
【技術分野】
【０００１】
本発明は、パチンコ機等の弾球遊技機に代表される遊技機に関するものである。
【背景技術】
【０００２】
従来、パチンコ機等の弾球遊技機においては遊技の興趣を盛り上げるために、何らかの条件の下で入賞口への入球を容易とするように動作する機構を設けるのが通常であり、そのような機構の１つとして、いわゆるチューリップ（可変入賞装置）が知られている。チューリップは、遊技盤内を流下する遊技球を拾い受けるように両側に開く一対の可動翼を有し、可動翼が閉じた状態で遊技球が入球すると可動翼が開き、これによりチューリップが入球の容易な開状態となるものとされている。
また、このようなチューリップを利用して更に遊技の興趣を盛り上げるために、特定の入賞口に入球すると遊技盤に設置された複数のチューリップが一斉に開状態となるようにされた遊技機も知られている。
【０００３】
【特許文献１】特開平０９−１７３５４６
【０００４】
【特許文献２】特開平１１−２４４４６９
【発明の開示】
【発明が解決しようとする課題】
【０００５】
しかしながら、上記構成の遊技機においては、電動式にて複数のチューリップ（可変入賞装置）を一斉に開状態とするものとすると、可動翼を開閉するためのソレノイド等のアクチュエータを各チューリップに設たり、各アクチュエータを制御するための制御機構が必要となり、構造が複雑化するといった問題がある。
このため、機械的な連動機構を用いて複数のチューリップ（可変入賞装置）を開状態とするものとするのが構造を簡素化する上では望ましい。しかしながら、この場合には、ピアノ線等を内部に侵入させ、これにより上記連動機構に力を加えて多数のチューリップを一斉に開状態とする等の不正が行われ易くなる。したがって、このような不正行為を防止するための方策が必要となり、そのような不正行為を防止するために例えば上記連動機構に覆いを設けることが考えられる。しかしながら、連動機構に覆いを設けるとメンテナンスの際にその覆いを取り外す必要が生じ、メンテナンス性が低下してしまうといった別の問題を生じる。
【０００６】
そこで、本発明者は、上記の可変入賞装置を作動させる機械的な連動機構として、リンク機構を用い、該リンク機構を、遊技球の位置エネルギーと、錘の位置エネルギーとを用いて往復動させることを考えた。
この構成によって、これまでに得られなかった優れた利点を得ることが出来たのであるが、そのリンク機構を設け、且つ駆動するに、どのようにすればより一層確実で、スムースな作動が得られるかが問題であった。
【０００７】
本発明は、上述した問題点を解決するためになされたものであり、その目的とするところは、特定の入賞口への入球と連動して複数の可変入賞装置を作動させる開閉リンク機構自体を軽微な部材で構成できながら、スムースな作動が得られるところの遊技機を提供することにある。
【課題を解決するための手段】
【０００８】
本発明において、可変入賞装置とは、従来の花弁が開閉するチューリップの機構、また、複数球の入球を対象とする扉のように開閉する大入賞口等を含み、例えば、チューリップの場合、上方から入球可能な入球口と、下方のチューリップの花弁が開閉する箇所からの入球口とを有し、上方の入球口から入球すると、下方のチューリップの花弁が開閉する構成のものと（開いた後の花弁側から入球したときには花弁が閉じる）、上方の入球口から入球すると花弁が常に開き、且つ、上方からの入球の場合には花弁が開き続ける構成のもの（開いた後の花弁側から入球したときには花弁が閉じる）とが含まれ、その際、チューリップの開閉は、１球毎に行われる場合もあれば、複数球の入球を許した後に行われる場合も含まれる（大入賞口の場合も同様）。
【０００９】
本発明における開放リンク機構の往動とは、可変入賞装置を駆動し、入球し易くなるように開く方向の動作を言い、復動とは、原位置に復帰する動作を言う。
本発明における球通路の湾曲通路部分の外側壁とは、湾曲している通路の外側の内面壁を意味する。
本発明におけるリンク作動部材の初期位置とは、リンク作動部材が規制部材と係合してリンク機構がロックされた状態の位置を言う。これに対応し、その所定位置とは、リンク作動部材が遊技球を受け止めて回動し、その回動が進行して遊技球がリンク作動部材から離れる位置を言う。
【００１０】
また、規制部材は、リンク作動部材の動作が不能となるリンク作動部材との係合がなされる位置とそれを可能にする解除位置との間を回動（遥動）する。
本発明の特別入賞口には、各可変入賞装置を開き動作させるための入賞口として設けるほか、その入賞球を検知する球検出センサーを球通路に所定の場所に備えて、所定数の賞球を払い出すようにした場合と、賞球の払い出しを行わないで各可変入賞装置を開き動作させるためだけとした場合も含まれる。
更に、球通路の厚み方向の分割とは、遊技盤（遊技機）の前後（表裏）方向において垂直の面をもって分割することを言う。
【００１１】
本発明は、上記目的を達成するために、手段１においては、
各種入賞部を有する遊技盤に遊技球を流下させて、これら入賞部に遊技球を入球させ、当該入球を検知して所定の賞球を払い出すように構成した遊技機であって、
複数の可変入賞装置と少なくとも１つの特別入賞口とが設けられ、
前記複数の可変入賞装置を開放させる開放リンク機構を設け、
前記特別入賞口に、入賞した遊技球を流下させる球通路が連設され、
前記球通路に臨まされて前記遊技球に接当するリンク作動部材が前記開放リンク機構に連動連結して設けられ、
前記開放リンク機構を、遊技球の位置エネルギーを用いて前記リンク作動部材により往動させて前記複数の可変入賞装置を開放させると共に前記開放リンク機構に分散配置した錘の位置エネルギーを用いて復動させるように構成してあることを特徴とする。
【００１２】
このように、特別入賞口から入球した遊技球の位置エネルギーを用いて、複数の可変入賞装置を入球が容易になるように可変して開放させることで、特別な遊技状態が得られるのであるが、この際、簡単な構造の開放リンク機構を用いることで、遊技球の位置エネルギーを機械的に変換して利用し、格別のエネルギー源を必要とすることなく、複数の可変入賞装置を略同時に作動（往動）させることによって実現できる。
【００１３】
そして、この開放リンク機構の作動の復元（復動）については、所要重量の錘を用いるという簡単な手段を用いながら、その錘を、単に開放リンク機構を駆動するリンク作動部材に設けるという考え方でなく、この錘を分割し、開放リンク機構の要部に分散配置するようにしたことで、リンク作動部材或いは開放リンク機構の一箇所に所要重量の錘を設けるのに比べ、開放リンク機構の各構成部材にかかる荷重を分散させて小さくでき、当該構成部材を比較的強度の軽微な部材で構成しても十分に機能できるもので、構造の簡素化、重量削減に寄与できる。
【００１４】
加えて、分散配置した錘は、リンク作動部材から遊技球の荷重が開放されて復動を始めるときに、各錘が配置された部分を基点として、その復動を開始することになり、開放リンク機構を駆動する力が、一箇所から大きな力が他方に一方向で伝達されるのではなく（リンクの枢支部位に大きな荷重がかかり動きが悪くなる）、各部位から小さな力で同時に伝達されることとなって、全体として、スムースなリンク作動を期待することができる。
また、錘を、開放リンク機構の特定の要部に分散配置することにより、開放リンク機構の要部に対して、引き力、押し力の発生が期待でき、リンク構成部材に対する荷重が相殺されることになるので、より一層、部材の簡素化、強度軽微化を図ることができる。
【００１５】
手段２：手段１の遊技機において、
前記開放リンク機構が、前記複数の可変入賞装置を夫々開放駆動する複数の操作部を有し、該各操作部の一部に錘が設けられていることを特徴とする。
このように、可変入賞装置を駆動する各操作部の一部に錘が設けられことで、開放リンク機構の往動に際しては、この錘が各操作部の作動に対して初期負荷となり、各可変入賞装置を所定の力で確実に駆動させることができ、また、復動に際しては、この錘が、リンク開放機能の全体を駆動させた後に操作部を駆動するのではなく、操作部そのものを直ちに復動させるように働くので、復動がスムースに行われ易いのである。
【００１６】
手段３：手段１の遊技機において、
前記リンク作動部材と前記開放リンク機構の一部とが支軸を介して連動連結され、前記リンク作動部材の一部に錘が設けられていることを特徴とする。
このように、錘をリンク作動部材の一部に設けることで、錘を、他の操作部と合せた複数に分割、配置することができて、リンク作動部材に遊技球の荷重が作用したときの開放リンク機構の往動に際しては、リンク作動部材から開放リンク機構に加わる伝達力に対する抵抗力を小さく出来ることで各リンク部材を軽微なものにできると共に遊技球がリンク作動部材からリリースされた時にはこのリンク作動部材をその付設の錘を用いて、支軸を介して直接回動させて復元させることができ、リンク作動部材の復元応答性が良くなるのである。勿論、この場合であっても、複数の操作部には別途錘が設けられているので、各、操作部も直ちに復動させることができる。
【００１７】
手段４：手段２又は手段３の遊技機において、
前記操作部と前記開放リンク機構の一部とが支軸を介して連動連結され、前記操作部の一部が前記支軸の反対側に延設されて支持アームに構成され、該支持アームに前記錘が支持されていることを特徴とする。
このように、操作部の一部が延設された支持アームに錘が支持されていることで、操作部の錘は、前記支持アームの腕の長さで前記支軸周りの回転モーメントを生じ、小さな錘であっても、その大きな回転モーメントでもって、初期位置への復動を直接行う作用を生じるのである。
【００１８】
手段５：手段４の遊技機において、
前記リンク作動部材と前記開放リンク機構の一部からなる略L字形（実施例の押下棒７０aと作用棒７０ｃとにより形成）の上端部と、前記操作部と前記開放リンク機構の一部とからなる略L字形の上端部が、リンク機構の１本の連接部材に、前記支軸と平行な軸心で枢着されてリンクが形成されていることを特徴とする。
このような連結構成とすることで、前記リンク作動部材と前記開放リンク機構とを１本の連接部材でもって連動連結でき、錘の分散配置によって、複数本の連接部材を用いなくても、又、軽微な部材であっても十分に作動力を伝達できると共に略L字型の構造によって、前記リンク作動部材にその腕の長さの回動モーメントを生じさせて前記開放リンク機構を駆動でき、他方、前記操作部もその腕の長さの回動モーメントを生じさせて可変入賞装置を駆動できるのである。
【００１９】
手段６：手段１の遊技機において、
前記開放リンク機構が、前記複数の可変入賞装置を夫々開放駆動する複数の操作部を有し、更に、該各操作部の内の一つと前記リンク作動部材とを連動連結する連結杆を有し、前記錘が、前記連結杆と、前記リンク作動部材と連動連結する操作部以外の少なくとも一つの操作部とに夫々設けられていることを特徴とする。
このように、前記リンク作動部材から前記開放リンク機構を介して複数の操作部を駆動するに、一つの操作部を中継して前記開放リンク機構が作動されるようにすることで、前記一つの操作部自体を伝達手段の一つに兼用でき、且つ、錘が前記連結杆と、他の少なくとも一つの操作部に分散されていることで、その一つの錘が連結杆を介して、これに連結されたリンク作動部材と操作部とを直接に復動させるように働くと共に他方の操作部に設けられた錘がその操作部を復動させるように働き、夫々を基点としてスムースな復動を成すことができる。
【００２０】
手段７：手段1又は手段６の遊技機において、
前記開放リンク機構が、前記複数の可変入賞装置を夫々開放駆動する複数の操作部を有し、更に、該各操作部の内の一つと前記リンク作動部材とを連動連結する連結杆を有し、前記錘が、少なくとも二つの前記操作部に分散されて設けられていることを特徴とする。
【００２１】
このように構成したことで、請求項１に従属する場合には、錘が少なくとも二つの前記操作部に分散されていることで、リンク作動部材に直接にかかる負荷としての錘が無く、往動（遊技球による）に際しては、該リンク作動部材をスムースに回動させながら復動に際しては、個々の操作部の錘を基点とし動作が行われ、結果としてリンク作動部材を復動させることになり、個々の操作部自体の復動の応答性が良好で、リンク作動部材（材料）に対する負荷が軽減され、構造上有利である。
また、請求項６に従属する場合には、錘がリンク作動部材と操作部の両方に分散されて設けられているので、リンク作動部材と操作部とが、それぞれが基点となって復動させるように働きかけることができ、一方向からの駆動伝達でないところから、開放リンク機構全体としての動きがスムースとなる。
【００２２】
手段８：手段６又は手段７の遊技機において、
前記開放リンク機構が、前記各操作部を作動させるための一本の連接部材を含み、該連接部材から少なくとも1本のアームが、該連接部材の長手方向の軸線に対して傾斜して突設され、前記各操作部が夫々作用棒を含み、少なくとも一つの操作部の作用棒と前記アームとが中折れ状態で枢支連結され、他の操作部の作用棒が前記連接部材に夫々直接に枢支連結されていることを特徴とする。
このようなリンク機構の構造、即ち、アームを、連接部材の長手方向の軸線に対して傾斜してあることで、その長手方向の軸線に沿って作動する連接部材の動作を、操作部を回動させる方向に無理なく変換できるのであり、これによって、操作部をスムースに回動させて可変入賞装置を駆動できるのである。
【００２３】
手段９：手段１の遊技機において、
前記開放リンク機構が、前記複数の可変入賞装置を夫々開放駆動する複数の操作部を有し、更に、所定の軸心周りに回動自在に設けた回転板を有し、前記回転板には、その回転軸心とは異なる軸心を中心としたガイド長孔が設けられ、前記操作部の一部が前記ガイド長孔に係合し、前記リンク作動部材の一部が前記回転板に連結されており、前記回転板の回動によって前記ガイド長孔がカム作用を発揮して前記操作部を作動させるように構成されていることを特徴とする。
このように開放リンク機構を、回転板と、これに設けたガイド長孔と、これに係合する操作部とから構成したことにより、操作部の作動を、回転を主体とし、カム作用によって駆動することができ、リンクアームを用いる形式に比較して構造が簡単で、動きがスムースになり、可変入賞装置の駆動がスムースに行い得る。また、回転板を用いることで作動上のトラブルも少なくて済み、トラブル発生も少ない。
【００２４】
手段１０：手段９の遊技機において、
前記各操作部が、夫々支軸周りに回動自在に設けられた1本のレバー押下部材から構成され、前記錘が、前記回転板と、前記レバー押下部材とに分散配置されていることを特徴とする。
このように、レバー押下部材に錘を分散配置（復動作用を行う配置）することで、錘がレバー押下部材をガイド長孔の面に押し付ける作用を成し、両者の常時接当を確保できて、リンク作動部材に対する負荷がリリースされたときに（遊技球が外れる）、回転板を回動させるカム作用を確実に発生させることができる。
そして、回転板にも錘が配置されていることで、この回転板自ら復動するように回転モーメントを発生さることができて、前記レバー押下部材の側と回転板の側とから開放リンク機構の復動が行われることになり、より一層確実、且つスムースに行われる。
【００２５】
手段１１：手段１乃至手段８の遊技機において、
前記リンク作動部材の端部には、切り欠き係合爪が設けられており、該切り欠き係合爪に係合する凹部を有する係合部を備えた規制部材が、前記球通路に臨まされて設けられ、遊技球の入球により前記規制部材と前記切り欠き係合爪との係合を離脱させて前記リンク作動部材の作動を許容させ、両者の係合状態において前記開放リンク機構の側からの操作に対しては両者の係合状態をロックするように構成してあることを特徴とする。
このように、リンク作動部材の端部に切り欠き係合爪を設け、規制部材に、凹部を備えることで、簡単な構造でありながら、両者の係合状態を確実なものとし、開放リンク機構の側からの不正操作によって、両者の係合が解かれ、可変入賞装置が不正に操作されるということがない。
【００２６】
手段１2：手段１乃至手段１１の遊技機において、
上記リンク作動部材が上記初期位置にあるときに該リンク作動部材と係合して上記開放リンク機構を動作不可能とする係合位置と、その係合が解除されて上記開放リンク機構を動作可能とする係合解除位置との間で揺動自在に設けられ、且つ上記球通路における上記リンク作動部材と遊技球との当接位置よりも上流側で遊技球と当接し該遊技球により上記係合位置から上記係合解除位置に回動される規制部材と、
上記規制部材を常時上記係合位置に向けて回動させるように付勢する規制部材付勢手段と、を備え、
上記リンク作動部材付勢手段が、遊技球により上記規制部材との係合が解除されて上記所定位置まで回動されたリンク作動部材を、上記規制部材付勢手段の付勢力に打ち勝って上記初期位置まで回動させて上記リンク作動部材を上記規制部材と係合させるように構成されていることを特徴とする。
【００２７】
上記構成であれば、手段１における作用効果を奏すると共に、遊技球が特別入賞口に入球すると、球通路にて規制部材が遊技球と当接し、これにより規制部材が係合解除位置に回動されてリンク作動部材との係合が外れ、次いでリンク作動部材が遊技球と当接し、これによりリンク作動部材が初期位置から所定位置まで回動され、これと連結された開放リンク機構が動作して、２以上の可変入賞装置が入球の容易な開状態となる。このようにして、各可変入賞装置が開状態とされた後は、リンク作動部材付勢手段によりリンク作動部材が初期位置に回動され、規制部材付勢手段により係合位置に向けて付勢されている規制部材とリンク作動部材とが再び係合して、開放リンク機構は動作不可能となる。
【００２８】
従って、特別入賞口への入球により複数の可変入賞装置を開放リンク機構を用いて一度に開き状態に移行させることができ、特別な遊技形態を実現できるものである。
そして、上記構成によれば、ピアノ線等を遊技機に侵入させて開放リンク機構に力を加えても開放リンク機構は動作しない。したがって、特定の入賞口への入球と連動して複数の可変入賞装置を入球の容易な開状態とするための機械的な連動機構を設けた場合に、上記連動機構に外部から力を加えて複数の可変入賞装置を開状態とするような不正行為を、メンテナンス性を損なうことなく防止することが可能となる。
【００２９】
手段１３：手段１２において、
上記規制部材は、上記リンク作動部材が上記リンク作動部材付勢手段の付勢力により上記所定位置から上記初期位置に回動するときに摺接する摺接曲面を有し、該摺接曲面に摺接する上記リンク作動部材により上記規制部材を上記係合解除位置側に押し戻して、上記係合部を上記リンク作動部材と係合させる、ことを特徴とする。
【００３０】
上記構成により、リンク作動部材を初期位置に回動するように付勢するリンク作動部材付勢手段と、規制部材を係合位置に回動するように付勢する規制部材付勢手段とを設けるだけで、スムースにリンク作動部材を規制部材の係合部と係合させることができる。
即ち、上記規制部材が遊技球により可動されてリンク作動部材との係合が解除された後は、規制部材付勢手段によって直ちに原位置（係合位置）に復帰するので、その後に遊技球から開放されたリンク作動部材がリンク作動部材付勢手段によって原位置に復帰しようとしたときに上記規制部材に接当することになるが、その際、前記摺接曲面によるカム作用によって規制部材を規制部材付勢手段に抗してスムースに変位させて両者の係合を行うことができる。
【００３１】
手段１４は、手段１２又は手段１３において、
前記規制部材は、その上端部が、前記遊技球通路の外側において支軸によって遊技盤に枢着されて下方に垂下され、少なくともその一部が、初期位置において球通路の内部に位置されるように構成され、前記規制部材付勢手段が該規制部材に一体的に設けられた錘であり、該錘は、前記規制部材の上下の略中間位置よりも上方の枢着側に位置するように設けられており、前記規制部材の球通路の内部に位置された一部に前記リンク作動部材の一端部が係合する切り欠き凹部の係合部が設けられていることを特徴とする。
このように構成された規制部材は、その錘の位置を上方の支軸側に近く位置させることで、振り子の錘と同様に、垂下した規制部材の支軸を中心とした振り子動作の振幅が小さくなり（略中間位置でもよいが、下方に位置させればさせるほど振幅は大きくなり応答性が悪くなる）、即ち、錘による戻り動作が迅速となって、リンク作動部材が遊技球から開放されて戻るまでに迅速に初期位置に復帰させておくことができ、その後の両者の係合を確実に行い得て、規制機能を確実に発揮させることができる。
【発明の効果】
【００３２】
本発明は、複数の可変入賞装置を、遊技球の位置エネルギーにより入球の容易な開状態とすることができると共に錘の位置エネルギーにより復動させる機械的な開閉リンク機構を用い、メンテナンス性を損なうことなく、不正操作されるのを防止することができながら、錘の分散配置によって、この開閉リンク機構を簡単な構造で、且つ、部材を軽微なものとしながら、スムースに駆動できるという優れた効果を奏する。
【発明を実施するための最良の形態】
【００３３】
以下、本発明の最良の形態について、図面を参照して詳述する。但し、本発明の実施に際しては、本発明の主旨から逸脱しない限り適宜部分改変可能である。
【００３４】
（パチンコ機の正面構成）
図１は本実施形態のパチンコ機１０の正面図であり、図２は外枠１１に対して内枠１２と前面枠セット１４と、セット板４００を開放した状態を示す斜視図である。（但し、図２では便宜上、遊技盤４面上の遊技領城内の構成〔釘、センター役物等〕を空白で示しているが、アウト口３６は描いてある）。
【００３５】
図１，２に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００３６】
前面枠セット１４及び内枠１２の構成を、図１〜図４を用いて詳細に説明する。図３は、パチンコ機１０の外枠１１から前面枠セット１４及び遊技盤４を取り外した状態を示す背面図であり、図４は、その背面からの斜視図である。
【００３７】
前面枠セット１４は、大別すると、その最下部に設けられた球受皿部分と、この球受皿部分よりも上側の範囲に形成される窓枠部分と、を備えている。内枠１２は、左側の上下方向の開閉軸線を軸心にして外枠１１に対して開閉自在に取り付けられ、後述する樹脂ベース２０を備え、この樹脂ベース２０の前側に前面枠セット１４が取り付けられ、後側に遊技盤４が取り付けられている。
【００３８】
上記球受皿部分は、上記前面枠セット１４の下側部分に対してネジ等の締結具により固定されている。この球受皿部分の前面側には、下皿１５と球抜きレバー１７と遊技球発射ハンドル１８と灰皿２２とが設けられている。また、球受皿としての下皿１５は、後述の上皿１９が満タンになった場合等に排出口より排出される遊技球を停留する機能を有している。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００３９】
そして、遊技球発射ハンドル１８は、下皿１５よりも右方で手前側に突出するように配設されている。遊技者による遊技球発射ハンドル１８の操作に応じて、遊技球発射装置３８（図２及び図３）によって遊技球が遊技盤４の方へ打ち込まれるようになっている。遊技球発射装置３８は、発射ソレノイドなどで構成されている。音出力口２４は、前面枠セット１４の左右上端部位置に設けられたスピーカ（図示略）からの音を出力するための出力口である。また、灰皿２２は下皿１５の左方に設けられている。灰皿２２は左右方向（水平方向）の軸線を軸心にして回動（例えば前方側に向けて前回り）するように設けられている。
【００４０】
なお、前面枠セット１４は、その大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００４１】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００４２】
一方、上記前面枠セット１４の球受皿部分のうち上述の下皿１５の上方位置には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４３】
図３、図４に示すように、内枠１２は、外形が矩形状の樹脂ベース２０を主体に構成されており、樹脂ベース２０の中央部には略円形状の窓孔２１が形成されている。
そして、樹脂ベース２０の後側には遊技盤４が着脱可能に装着されている。遊技盤４は四角形状の合板よりなり、その周縁部が樹脂ベース２０（内枠１２）の裏側に当接した状態で取着されている。従って、遊技盤４の前面部の略中央部分が樹脂ベース２０の窓孔２１を通じて内枠１２の前面側に露出した状態となっている（図２では遊技盤４のアウト口３６が示されている）。
そして、ここでは、遊技盤４の前記内枠１２の外枠１１に対する枢着部（パチンコ機１０の正面からみて左側に上下に延びる開閉軸線を軸心にした枢着）に近いコーナー（隅）が、略三角形状に角落ち（切り欠き）されている。
【００４４】
また、遊技盤４には、図5に示すように、遊技球発射装置３８から発射された遊技球を遊技盤４上部へ案内するためのガイドレール５０が取り付けられており、遊技球発射ハンドル１８の回動操作に伴い発射された遊技球はガイドレール５０を通じて所定の遊技領域に案内されるようになっている。ガイドレール５０は、遊技球の飛翔をより滑らかなものとするべく、つまり遊技球の摩擦抵抗を少なくするべく、長尺状をなすステンレス製の金属帯としての摺動プレートにて構成されており、内外二重のリング状をなすように形成された内レール５１と外レール５２とを有する。なお、ガイドレール５０は、樹脂成型品でもよく、フッ素樹脂を添加して成形することが好ましく、これによって遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤４との当接面を有した溝状、すなわち手前側を開放した溝状に形成されている。
【００４５】
内レール５１の先端部分には戻り球防止部材５３が取着されている。これにより、一旦、内レール５１および外レール５２間の球案内通路から遊技盤４の上部へと案内された遊技球が再度球案内通路内に戻ってしまうといった事態が防止されるようになっている。また、内枠１２の外レール５２延長上には、遊技球の最大飛翔部分に対応する位置に返しゴム５４が取着されている。従って、所定以上の勢いで発射された遊技球は、返しゴム５４に当たって跳ね返されるようになっている。
【００４６】
遊技盤４の右下隅部は、証紙（例えば製造番号が記載されている）等のシールやプレートを貼着するためのスペースとなっている。遊技盤４に証紙等のシールを貼着することで、遊技盤４と証紙との一義性を持たせることができる。
【００４７】
次に、遊技領域について説明する。遊技領域は、ガイドレール５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤４の下端位置によって特定される。また、遊技領域の上側限界位置は外レール５２によって特定される。
【００４８】
前記樹脂ベース２０において、窓孔２１（遊技盤４）の下方には、遊技球発射装置３８より発射された直後に遊技球を案内するための発射レールが取り付けられている。発射レールは、その後方の金属板を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りガイドレール５０の球案内通路を通じて所定の遊技領域に案内されるようになっている。
【００４９】
また、発射レールとガイドレール５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００５０】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００５１】
図２中の符号４９は上皿１９に通ずる排出口であり、この上皿排出口４９を介して遊技球が上皿１９に排出される。この上皿排出口４９には、略水平方向の回転軸を軸心として略水平状態と略垂直状態とに変位する開閉式のシャッタが取り付けられている、前面枠セット１４を内枠１２から開放した状能（図２の状態）では、バネ等の付勢力によりシャッタが略水平状態から略垂直状態となり、上皿排出口４９から遊技球がこぼれ落ちないようにこの上皿排出口４９を閉鎖する。また、前面枠セット１４を閉鎖した状態では、当該前面枠セット１４の裏面に設けられた球通路樋６９（図２参照）によりシャッタが押し開けられて略水平状態になり、上皿排出口４９の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００５２】
図１に示すように、樹脂ベース２０には、窓孔２１の右下部に楕円形状の小窓２３が設けられている。従って、遊技盤４の右下隅部に張られた証紙などのシール（図４のＳ１）は、この小窓２３を通じて視認できるようになっている。また、この小窓２３からシール等を貼り付けることも可能となっている。
【００５３】
また、図４に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸（図外）８４が設けられている。
【００５４】
図２に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パテンコ店内）用コンピュータヘ出力されるようになっている。また、前面枠セット１４が閉じられると、前面枠セット１４の金属製の補強板が、内枠１２の一対の金具に接触するようになっており、前面枠セット１４のアースが確保されている。
【００５５】
ここで、前述した前面枠セット１４について、図１，図２を参照しつつより詳細に説明する。前面枠セット１４には前記遊技領域のほとんどを外部から視認することができるよう略楕円形状の窓部２５が形成されている。詳しくは、窓部２５は、その左右側の略中央部が、上下側に比べて比較的緩やかに湾曲した形状となっている。なお、前記略中央部が直線状になるようにしてもよい。
【００５６】
また、パチンコ機１０の正面から見て窓部２５の左端と前面枠セット１４の左端との間の最短距離（いわゆる左側部フレーム部分の左右幅）、すなわち開閉軸線側のフレーム幅は、前面枠セット１４自体の強度および支持強度を高めるために比較的大きく設定されている。この場合、図１および図５を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット１４の十分な強度および支持強度が確保可能となっている。
【００５７】
加えて、前面枠セット１４にはその周囲（例えばコーナー部分）に、演出装置７００の一つとして、各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部２５の周縁には、ＬＥＤ等の発光手段を内蔵した電飾部３０が左右対称に設けられ、パチンコ機１０の最上部には、同じくＬＥＤ等の発光手段を内蔵した中央電飾部１０３が設けられている。本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部３３が設けられている。その他、中央電飾部１０３の左右側方には、賞球払出し中に点灯する賞球ランプ１０５が設けられている。また、電飾部３０の下端部に隣接するようにして、内枠１２表面や遊技盤４表面等の一部を視認できるよう透明樹脂からなる小窓が設けられている。この小窓は平面状とし、遊技盤４の右下隅部に貼り付けられた証紙などを、小窓の当該平面状箇所から機械で好適に読み取ることができる。更に、遊技領域内にも、役物用、入賞口用等の電飾ランプ、ＬＥＤが存在するが、こうした発光手段も演出装置となる。
【００５８】
また、窓部２５の下方には貸球操作部が配設されており、貸球操作部には球貸しボタンと、返却ボタンと、度数表示部とが設けられている。パチンコ機１０の側方に配置された図示しないカードユニット（球貸しユニット）に紙幣やカード等を投入した状態で貸球操作部が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部が不要となる。故に、貸球操作部の設置部分に、飾りシール等が付されるようになっている。これにより、カードユニットを用いたパチンコ機と現金機との貸球操作部の共通化が図れる。
【００５９】
また、図１に示すように、前面枠セット１４の左側を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００６０】
次に、図５を用いて遊技盤４の構成を説明する。図５は遊技盤４の構成を示す正面図である。
遊技盤４は、遊技球が入球すると所定数の賞品球が払い出される等の何らかの利益が遊技者に付与される各種入賞部としての、天入賞口２６、遊技盤４の中段やや上寄り及び下段に５つずつ浅いＵ字状に並べて配された計１０個の可変入賞装置２７（第１可変入賞装置２７１〜第１０可変入賞装置２７１０）、遊技盤４の中段やや上寄りの５つの可変入賞装置２７（第１可変入賞装置２７１〜第５可変入賞装置２７５）よりも上方に配された第１特別入賞口２８及び遊技盤４の下段の５つの可変入賞装置２７（第６可変入賞装置２７６〜第１０可変入賞装置２７１０）よりも上方に配された第２特別入賞口２９等を備えている。これらの天入賞口２６、可変入賞装置２７、第１特別入賞口２８、第２特別入賞口２９等は、遊技盤４における、ルータ加工によって形成された各貫通穴にそれぞれに配設され、遊技盤４前面側から木ネジ等により取り付けられている。前述の天入賞口２６及び可変入賞装置２７に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤４にはアウト口３６が設けられており、各種入賞口等に入球しなかった遊技球はこのアウト口３６を通って図示しない球排出路の方へと案内されるようになっている。
【００６１】
また、遊技盤４には、遊技球の落下方向を適宜分散、調整等するために多数の釘が植設されているとともに、各種部材（投物）が配設されている。すなわち、天入賞口２６の上方には、５本の釘１０１が遊技球の通過可能な間隔で横に並べて配され、その下方且つ天入賞口２６の直上には、天入賞口２６への遊技球の入り口を規定するように２本の釘１０２、１０３が遊技球の通過可能な間隔で横に並べて配され、各釘１０２、１０３の下に４本ずつの１纏まりの釘１０４、１０５がハの字状に並べて配されている。
【００６２】
第１特別入賞口２８の直上には、第１特別入賞口２８への遊技球の入り口を規定するように２本の釘１１４、１１５が遊技球の通過可能な間隔で横に並べて配されている。
遊技盤４の中段やや上よりの５つの可変入賞装置２７（第１可変入賞装置２７１〜第５可変入賞装置２７５）の中で、中央の第３可変入賞装置２７３を除いた第１、第２、第４及び第５可変入賞装置２７１、２７２、２７４、２７５のそれぞれの上方には、頂上に遊技球の通過可能な隙間を空けて５本ずつの１纏まりの釘１０６、１０７がハの字状に並べて配され、その下方且つ各可変入賞装置２７の直上には、各可変入賞装置２７の作動入賞口２７ａへの遊技球の入り口を規定するように２本の釘１０８、１０９が遊技球の通過可能な間隔で斜めに並べて配され、この２本の釘１０８、１０９のうち、上側の釘１０８から斜め下に並べて２本の１纏まりの釘１１０が当該可変入賞装置２７の可動翼３１に向けて遊技球を流すように配され、上記ハの字状の５本ずつの１纏まりの釘１０６、１０７の下方の延長上に、遊技球の通過可能な隙間を空けて４本ずつの１纏まりの釘１１１、１１２が当該可変入賞装置２７の可動翼３１に向けて遊技球を流すように配されている。
【００６３】
遊技盤４の中段やや上よりの５つの可変入賞装置２７（第１可変入賞装置２７１〜第５可変入賞装置２７５）の中で、中央の第３可変入賞装置２７３の直上には、当該可変入賞装置２７の作動入賞口２７ａへの遊技球の入り口を規定するように３本の釘１１３が遊技球の通過可能な間隔で三角形をなすように配されている。
【００６４】
第２特別入賞口２９の上方には、頂上に遊技球の１つ通る隙間を空けて３本ずつの１纏まりの釘１１６、１１７がハの字状に並べて配され、その下方且つ第２特別入賞口２９の直上には、第２特別入賞口２９への遊技球の入り口を規定するように２本の釘１１８、１１９が遊技球の通過可能な間隔で横に並べて配されている。
【００６５】
遊技盤４の下段の５つの可変入賞装置２７（第６可変入賞装置２７６〜第１０可変入賞装置２７１０）の中で、両端の第６及び第１０可変入賞装置２７６、２７１０のそれぞれの上方には、遊技球の通過可能な間隔で３段に並べて計１５本の釘１２０が配され、各可変入賞装置２７の直上には、各可変入賞装置２７の作動入賞口２７ａへの遊技球の入り口を規定するように３本の釘１２１が遊技球の通過可能な間隔で三角形をなすように配されている。
【００６６】
遊技盤４の下段の５つの可変入賞装置２７（第６可変入賞装置２７６〜第１０可変入賞装置２７１０）の中で、中央の第３可変入賞装置２７３の両脇の第７及び第９可変入賞装置２７７、２７９のそれぞれの上方には、頂上に遊技球の通過可能な隙間を空けて８本ずつの１纏まりの釘１２２、１２３がハの字状に並べて配され、その下方且つ第７及び第９可変入賞装置２７７、２７９の直上には、各可変入賞装置２７の作動入賞口２７ａへの遊技球の入り口を規定するように２本の釘１２４、１２５が遊技球の通過可能な間隔で横に並べて配されている。
【００６７】
遊技盤４の下段の５つの可変入賞装置２７（第６可変入賞装置２７６〜第１０可変入賞装置２７１０）の中で、中央の第８可変入賞装置２７８の直上には、当該可変入賞装置２７の作動入賞口２７ａへの遊技球の入り口を規定するように３本の釘１２６が遊技球の通過可能な間隔で三角形をなすように配されている。
【００６８】
ここで、第１特別入賞口２８は、これに入球すると遊技盤４の中段やや上寄りに設けられた第１〜第５可変入賞装置２７１〜２７５の全てを開状態とする入賞口であり、第２特別入賞口２９は、これに入球すると遊技盤４の下段に設けられた第６〜第１０可変入賞装置２７６〜２７１０の全てを開状態とする入賞口である。
【００６９】
図６〜図１２に可変入賞装置２７の詳細を示す。図６は、開状態の可変入賞装置の斜視図、図７ａ，図７ｂは、開状態の可変入賞装置の正面図及び側面図である。図８は、閉状態の可変入賞装置の斜視図、図９ａ，図９ｂは、閉状態の可変入賞装置の正面図及び側面図である。図１０は、可変入賞装置の分解図である。
【００７０】
図６〜図１２に示すように、可変入賞装置２７は、遊技球の入球が容易な開状態と、この開状態よりも遊技球の入球が困難な閉状態との２つの状態を取り得るように構成された、いわゆるチューリップと称される入賞部の一種であり、一対の可動翼３１、翼開閉具３２及び作動入賞口２７ａを有する。作動入賞口２７ａに、遊技球が入球すると所定数の賞品球の払い出しを行うとともに、当該可変入賞装置２７は開状態となる。
一対の可動翼３１は、遊技盤４を流下する遊技球を拾い受けるように、遊技盤４前面と直交する軸を中心に回動して両側に開き、これにより可変入賞装置２７を開状態に移行させる部材である。この開状態で可動翼３１により遊技球が拾い受けられると所定数の賞品球の払い出しを行うとともに、可動翼３１は閉じられ、これにより可変入賞装置２７は閉状態に移行する。
すなわち、可変入賞装置２７は、開状態においては作動入賞口２７ａと開かれた可動翼３１とによる入球が可能となり、閉状態においては作動入賞口２７ａのみからの入球が可能となる。
【００７１】
図１０に示すように、可変入賞装置２７は、可動翼取付部２７A、翼開閉具取付部２７B、検出スイッチ取付部２７C等を有する本体２７ｂを具備し、この本体２７ｂの前面に、一対の可動翼３１を回動可能に支持するための一対の支軸２７ｃ１（１本は図外）を有する前側カバー部材２７ｃを組み付けるとともに、本体２７ｂの裏面に、作動入賞口２７ａを構成する球通過孔２７ｄ１を有する球検出スイッチ２７ｄ、翼開閉具３２、及びＬＥＤ（Light Emitting Diode：発光ダイオード）を内蔵する発光部材２７ｅを組み付けて構成されている。ここで、発光部材２７ｅには、上記ＬＥＤに電力を供給する電力コードが接続される電力ソケット２７ｅ１が設けられている。
【００７２】
図１１に、翼開閉具の詳細を示す。翼開閉具３２は、板状の本体３２ａと、該本体３２ａのほぼ中央に設けられ、翼開閉具３２を可変入賞装置２７の本体２７ｂに遊技盤４の裏面と平行な水平軸を中心に回動可能に支持させるための支軸３２ｂ（図１０）が挿通される軸孔３２ｃと、本体３２ａの先端部に設けられた一対の翼作動爪３２ｄと、軸孔３２ｃよりも後方の本体３２ａの上部に設けられ側方に傾斜する斜面３２ｅ１及びその後方に立設された板状部材３２ｅ２からなる第１球受け部３２ｅと、本体３２ａの一側端に沿って下向きに立設された連結板部３２ｆにより本体３２ａに連結されて本体３２ａと平行に設けられた板状部材３２ｇ１及びその前端部に設けられた球受け爪３２ｇ２からなる第２球当接部３２ｇと、本体３２ａの第１球受け部３２ｅよりも後方に設けられた開放レバー３２ｈとを具備する。
【００７３】
以下、図１２及び図１３を参照して、翼開閉具の動作を説明する。図１２は、可変入賞装置から可動翼及び翼開閉具のみを抽出した、開状態図１２（ａ）及び閉状態図１２（ｂ）の斜視図であり、図１３は、可変入賞装置の開状態図１３（ａ）及び閉状態図１３（ｂ）の横断面図である。
図１２及び図１３に示すように、作動入賞口２７ａに遊技球がＷ入球すると、入球した遊技球Ｗが可変入賞装置２７内部の通路を通って翼開閉具３２の第１球受け部３２ｅと当接し、これにより翼開閉具３２が支軸３２ｂを中心に前部が上向きに回動する。このとき、各翼作動爪３２ｄが各可動翼３１の爪係合部３１ａ（図１０）とそれぞれ係合して、各可動翼３１が両側に寝るように開く。
また、可変入賞装置２７の開状態（図１２（ａ）、図１３（ａ））にて両側に開かれた各可動翼３１により遊技球Ｗが拾い受けられて入球すると、入球した遊技球が翼開閉具３２の第２球当接部３２ｇと当接し、これにより翼開閉具３２が支軸３２ｂを中心に前部が下向きに回動する。このとき、各翼作動爪３２ｄが各可動翼３１の下端部３１ｂとそれぞれ係合して、各可動翼３１が立った状態に閉じる。
【００７４】
（遊技盤４の裏面側の構造）
以下、遊技盤４の裏面側の構造を説明する。
【００７５】
図１４に、遊技盤４の裏面側の構造を斜視図により示す。図１５に、その分解図を示す。
【００７６】
遊技盤４は、厚手のベニヤ板からなる台板４３を有し、その裏面側は２層の裏板材４４、４７を設けて構成されている。
【００７７】
台板４３は、天入賞口２６、第１特別入賞口２８及び第２特別入賞口２９に入球した遊技球をそれぞれ台板４３の裏面側に送るための天入賞口孔５５、第１特別入賞口孔５６及び第２特別入賞口孔５７を有するとともに、各可変入賞装置２７の後部が挿通される可変入賞装置孔５８を有する。
【００７８】
下層裏板材４４は、天入賞口孔５５を介して裏面側に送られた遊技球、各可変入賞装置２７を介して入球した遊技球及び後掲の第１特別球通路８０、第２特別球通路８５を通過した遊技球をパチンコ機１０から排出するための球排出通路５９と、第１特別入賞口孔５６と第１特別球通路８０の最上端部とを接続するＵ字状の第１特別球通路接続部５６ａと、第２特別入賞口孔５７と第２特別球通路８５の最上端部とを接続するＵ字状の第２特別球通路接続部５７ａと、各可変入賞装置２７の発光部材２７ｅの電力ソケットに電力供給コードの接続プラグを差し込み作業し得るように穿設された下層側電力コード接続用孔６０と、を備えるとともに、各可変入賞装置２７が開状態であるときに可動翼３１により入球した遊技球及び天入賞口２６に入球した遊技球を検出する球検出センサー６１の設置部を有する。なお、球排出通路５９には、第１特別球通路８０及び第２特別球通路８５の再下端部と球排出通路５９内部とを接続するための第１接続孔５９ａ及び第２接続孔５９ｂが穿設されている。
【００７９】
上層裏板材４７は、下層裏板材４４の下層側電力コード接続用孔６０と重なる位置に穿設された上層側電力コード接続用孔６２と、各可変入賞装置２７の翼開閉具３２の開放レバー３２ｈを後方に突出させるように穿設された開放レバー挿通孔６３と、第１特別入賞口２８に入球した遊技球を流下させる球通路の厚み方向の半分を構成する第１特別球通路基部６４と、第２特別入賞口２９に入球した遊技球を流下させる球通路の厚み方向の半分を構成する第２特別球通路基部６５とを備える。
このように、球通路としての特別球通路８０が、厚み方向に分割された各分割体（第１特別球通路基部６４、第２特別球通路基部６５）から構成されることから、球通路８０内に、遊技球と当接する規制部材７９、８６及びリンク作動部材７７、７８の球当接部７７ａ、７８ａ、７９ｄ、８６ｄ及び規制部材７９、８６の係合部７９ａ、８６ａを組み込むことが容易となる。
【００８０】
ここで、上層裏板材４７には、図１６に示すように、遊技盤４の中段やや上よりの５つの可変入賞装置２７（第１可変入賞装置２７１〜第５可変入賞装置２７５）に対応する開放リンク機構としての第１リンク機構６６及び第２リンク機構６７、リンク作動部材としての第１リンク作動部材７７及び第２リンク作動部材７８、規制部材としての第１規制部材７９及び第２規制部材８６が装着されるとともに、図示はされていないが、遊技盤４の下段の５つの可変入賞装置２７（第６可変入賞装置２７６〜第１０可変入賞装置２７１０）に対応する開放リンク機構、リンク作動部材、規制部材が、前記の各機構、部材と実質的に同じ構成とされて、装着される。また、第１可変入賞装置２７１〜第５可変入賞装置２７５に対応する球通路としての第１特別球通路８０を形成するように第１特別球通路蓋部６８が装着されるとともに、図示はされていないが、第６可変入賞装置２７６〜第１０可変入賞装置２７１０に対応する球通路を形成するように第２特別球通路基部６５に第２特別球通路蓋部が装着される。
【００８１】
以下、図１４〜図２１を参照して、各特別入賞口２８、２９への入球により複数の可変入賞装置２７を一斉に開状態とする連動構造と、各特別入賞口２８、２９への入球以外の場合に開放リンク機構の動作を禁止するストッパ構造とを説明する。ここで、パチンコ機１０は、第１特別入賞口２８への入球と連動して第１〜第５可変入賞装置２７１〜２７５を開状態とする連動構造と、第２特別入賞口２９への入球と連動して第６〜第１０可変入賞装置２７６〜２７１０を開状態とする連動構造とを具備するが、これら２つの連動構造は同様の構造であるために、前者の連動構造についてのみ説明し、後者の連動構造についての説明は省略する。
【００８２】
図１６は、リンク作動部材が初期位置にあるときの遊技盤裏面側の斜視図（第１特別球通路蓋部６８を外した状態）である。図１７は、リンク作動部材が所定位置（遊技球をリリースする寸前の終期位置）にあるときの遊技盤裏面側の斜視図（第１特別球通路蓋部６８を外した状態）である。図１８は、リンク作動部材が初期位置にあるときの遊技盤の背面図（第１特別球通路蓋部６８を外した状態）である。図１９は、リンク作動部材が所定位置（遊技球をリリースする寸前の終期位置）にあるときの遊技盤の背面図（第１特別球通路蓋部６８を外した状態）である。
【００８３】
第１リンク作動部材７７及び第２リンク作動部材７８は、第１特別球通路８０を流下する遊技球と当接して初期位置から所定位置まで遊技盤４裏面に直交する軸を中心に回動するように上層裏板材４７に設けられるものとされる。
すなわち、第１リンク作動部材７７は、図１９及び図２０（ａ）及び図２０（ｂ）に示すように、基端部にて支軸７７ｂにより回動可能に支持されるとともに第１特別球通路８０を流下する遊技球と当接する球当接部７７ａが先端部に設けられた力棒７７ｃと、この力棒７７ｃと直交するように基端部が力棒７７ｃの基端部と一体的に結合され先端部が第１リンク機構６６の第１連接部材７５の中間部と回動自在に接続された作用棒７７ｄと、第１リンク作動部材７７を上記所定位置から上記初期位置に向けて回動させるように付勢する付勢手段としての錘７７ｅが先端部に設けられ、基端部が、力棒７７ｃ及び作用棒７７ｄの基端部と一体的に結合して設けられた錘取付棒７７ｆとを含む。前記球当接部７７ａの先端部は、切り欠き爪状（ガンギ爪）に形成され、後述する第１規制部材７９の係合部２９aの凹部と噛み合い、その係合状態においては、前記第１リンク作動部材７７の側を不正に押し引き操作したとしても、その係合が容易に外れず、前記第１規制部材７９の側が変位することによってその係合が外れるように構成されている。
【００８４】
また、第２リンク作動部材７８は、基端部にて支軸７８ｂにより回動可能に支持されるとともに第１特別球通路８０を流下する遊技球と当接する球当接部７８ａが先端部に設けられた力棒７８ｃと、この力棒７８ｃから支軸７８ｂを超えて直線的に伸びるように設けられ基端部が力棒７７ｃの基端部と一体的に結合されるとともに、先端部が第３連接部材８７の一端部と回動自在に接続される作用棒７８ｄとを含む。ここで、第３連接部材８７は、他端部が第２操作部７２の力棒７２ｄの先端部と回動自在に接続されるとともに、中間部に、第２リンク作動部材７８を所定位置から初期位置に向けて付勢するための付勢手段としての錘８７ａが設けられるものとされる。
【００８５】
次に、開放リンク機構としての第１リンク機構６６及び第２リンク機構６７を説明する。この開放リンク機構（例として、第１リンク機構６６）には、後述の可変入賞装置２７１及び２７５を作動させる操作部７０が含まれ、その操作部７０には、押下棒７０a、作用棒７０ｃが含まれ、前記開放リンク機構（リンク機構６６）の一部とで、支軸７０bを介して、背面視L字形をなす。
【００８６】
第１リンク機構６６は、第１可変入賞装置２７１及び第５可変入賞装置２７５にそれぞれ対応して設けられ、遊技盤４裏面に直交する軸を中心に揺動する第１操作部７０及び第５操作部７１と、第１操作部７０及び第５操作部７１を連接する第１連接部材７５とを含む。
【００８７】
第１操作部７０は、基端部にて支軸７０ｂにより回動可能に支持されるとともに第１可変入賞装置２７１の開放レバー３２ｈを先端部により押下する押下棒７０ａと、この押下棒７０ａと直交するように基端部が押下棒７０ａの基端部と一体的に結合されるとともに先端部が第１連接部材７５の一端部と回動自在に接続された作用棒７０ｃと、押下棒７０ａが第１可変入賞装置２７１の開放レバー３２ｈを押下した後に押下棒７０ａを初期位置に戻すように付勢するための錘７０ｄとを含む。ここで、錘７０ｄは、第１リンク作動部材７７と第１操作部７０とが連結されて一体的に揺動することから、第１リンク作動部材７７を初期位置に向かって付勢する付勢手段としても機能するものである。前記操作部７０の一部が前記支軸７０bの反対側に延設されて支持アーム７０eに構成され、その支持アーム７０eに前記錘７０dが支持されている。
【００８８】
第５操作部７１は、基端部にて支軸７１ｂにより回動可能に支持されるとともに第５可変入賞装置２７５の開放レバー３２ｈを先端部により押下する押下棒７１ａと、この押下棒７１ａと直交するように基端部が押下棒７１ａの基端部と一体的に結合されるとともに先端部が第１連接部材７５の他端部と回動自在に接続された作用棒７１ｃと、押下棒７１ａが第５可変入賞装置２７５の開放レバー３２ｈを押下した後に押下棒７１ａを初期位置に戻すように付勢するための錘７１ｄとを含む。ここで、錘７１ｄは、第１リンク作動部材７７と第５操作部７１とが連結されて一体的に揺動することから、第１リンク作動部材７７を初期位置に向かって付勢する付勢手段としても機能するものである。前記操作部７１の一部が前記支軸７１bの反対側に延設されて支持アーム７１eに構成され、その支持アーム７１eに前記錘７１dが支持されている。
【００８９】
次に、第２リンク機構６７を説明する。第２リンク機構６７は、第２可変入賞装置２７２、第３可変入賞装置２７３及び第４可変入賞装置２７４にそれぞれ対応して設けられ、遊技盤４裏面に直交する軸を中心に揺動する第２操作部７２、第３操作部７３及び第４操作部７４と、第２操作部７２〜第４操作部７４を連接する第２連接部材７６とを含む。
【００９０】
第２操作部７２は、基端部にて支軸７２ｂにより回動可能に支持されるとともに第２可変入賞装置２７２の開放レバー３２ｈを先端部により押下する押下棒７２ａと、この押下棒７２ａと直交するように基端部にて押下棒７２ａの基端部と一体的に結合されるとともに先端部が第２連接部材７６の一端部と回動自在に接続される作用棒７２ｃと、この作用棒７２ｃと直交するように基端部にて作用棒７２ｃの基端部と一体的に結合されるとともに先端部が第３連接部材８７の他端部と回動自在に接続された力棒７２ｄとを含む。ここで、ここで、第３連接部材８７の中間部に設けられた錘８７ａは、第２リンク作動部材７８を所定位置から初期位置に向かって付勢する付勢手段として機能する。
【００９１】
第３操作部７３は、基端部にて支軸７３ｂにより回動可能に支持されるとともに第３可変入賞装置２７３の開放レバー３２ｈを先端部により押下する押下棒７３ａと、この押下棒７３ａと直交するように基端部が押下棒７３ａの基端部と一体的に結合されるとともに先端部が第２連接部材７６の中間部と回動自在に接続された作用棒７３ｃと、押下棒７３ａが第３可変入賞装置２７３の開放レバー３２ｈを押下した後に押下棒７３ａを初期位置に戻すように付勢するための錘７３ｄとを含む。ここで、錘７３ｄは、支持アーム７３eを介して前記押下棒７３aと一体であり、第２リンク作動部材７８と第２リンク機構６７とが連結されて一体的に揺動することから、第２リンク作動部材７８を初期位置に向かって付勢する付勢手段としても機能するものである。前記操作部７３の一部が前記支軸７３bの反対側に延設されて支持アーム７３eに構成され、その支持アーム７３eに前記錘７３dが支持されている。
【００９２】
第４操作部７４は、基端部にて支軸７４ｂにより回動可能に支持されるとともに第４可変入賞装置２７４の開放レバー３２ｈを先端部により押下する押下棒７４ａと、この押下棒７４ａと直交するように基端部が押下棒７４ａの基端部と一体的に結合されるとともに先端部が第２連接部材７６の他端部と回動自在に接続された作用棒７４ｃと、押下棒７４ａが第４可変入賞装置２７４の開放レバー３２ｈを押下した後に押下棒７４ａを初期位置に戻すように付勢するための錘７４ｄとを含む。ここで、錘７４ｄは、支持アーム７４eを介して前記押下棒７４aと一体であり、第２リンク作動部材７８と第２リンク機構６７とが連結されて一体的に揺動することから、第２リンク作動部材７８を初期位置に向かって付勢する付勢手段としても機能するものである。前記操作部７４の一部が前記支軸７４bの反対側に延設されて支持アーム７４eに構成され、その支持アーム７４eに前記錘７４dが支持されている。
【００９３】
次に、規制部材としての第１規制部材７９及び第２規制部材８６を説明する。第１規制部材７９及び第２規制部材８６は、共に遊技盤４裏面に直交する軸を中心に回動可能に設けられるものとされる。
図２０に、規制部材が係合位置にあるとき（ａ）及び係合解除位置にあるとき（ｂ）の拡大図を示す。図２１に、規制部材が係合解除位置から係合位置に戻るときの様子を示す。
【００９４】
第１規制部材７９は、第１リンク作動部材７７が初期位置にあるときに第１特別球通路８０内にて第１リンク作動部材７７の球当接部７７ａと係合する凹部の係合部７９ａを有しており、この係合部７９ａと球当接部７７ａとが係合する位置の上方に配設された支軸７９ｂにより、係合部７９ａが第１リンク作動部材７７の球当接部７７ａと係合して第１リンク機構６６を動作不可能とする係合位置と、その係合が解除されて第１リンク機構６６を動作可能とする係合解除位置との間で揺動可能に釣支されている。ここで、第１規制部材７９には、第１規制部材７９を係合位置に向けて付勢するための錘７９ｃが適宜位置に設けられるものとされる。前記係合部７９aの凹部は、第１リンク作動部材７７の球当接部７７ａの先端の切り欠き爪状（ガンギ爪）７７gに形成された部分と噛み合う形状とされ、その係合状態においては、前記第１リンク作動部材７７の側を不正に押し引き操作したとしても、その係合が容易に外れず、前記第１規制部材７９の側が変位することによってその係合が外れるように構成されている。
【００９５】
また、第１規制部材７９は、係合部７９ａよりも上方に設けられ、第１特別球通路８０を流下する遊技球Ｗと当接する球当接部７９ｄを有しており、球当接部７９ｄに遊技球Ｗが当接することにより、上記係合位置から係合解除位置に向けて回動される。
また、第１規制部材７９の係合部７９ａよりも下方には、第１リンク作動部材７７が上記所定位置から初期位置に回動するときに第１規制部材７９を係合解除位置に向けて押し戻すようにしながら第１リンク作動部材７７の球当接部７７ａの先端が摺接する摺接曲面７９ｅが形成されている。
【００９６】
次に、第２規制部材８６を説明する。第２規制部材８６は、第１規制部材７９と同様の構造であり、第２リンク作動部材７８が初期位置にあるときに第１特別球通路８０内にて第２リンク作動部材７８の球当接部７８ａと係合する係合部８６ａを有しており、この係合部８６ａと球当接部７８ａとが係合する位置の上方に配設された支軸８６ｂにより、係合部８６ａが第２リンク作動部材７８の球当接部７８ａと係合する係合位置と、その係合が解除される係合解除位置との間で揺動可能に釣支されている。ここで、第２規制部材８６には、第２規制部材８６を係合位置に向けて付勢するための錘８６ｃが適宜位置に設けられるものとされる。
【００９７】
また、第２規制部材８６は、更に、係合部８６ａよりも上方に設けられた、第１特別球通路８０を流下する遊技球Ｗと当接する球当接部８６ｄを有しており、球当接部８６ｄに遊技球Ｗが当接することにより、上記係合位置から係合解除位置に向けて回動される。
そして、前記係合部８６aは凹部に形成され、第２リンク作動部材７８の球当接部７８ａの先端の切り欠き爪状（ガンギ爪）７８eに形成された部分と噛み合う形状とされ、その係合状態においては、前記第2リンク作動部材７8の側を不正に押し引き操作したとしても、その係合が容易に外れず、前記第2規制部材８６の側が変位することによってその係合が外れるように構成されている。
【００９８】
また、第２規制部材８６の係合部８６ａよりも下方には、第２リンク作動部材７８が上記所定位置から初期位置に戻るときに第２規制部材８６を係合解除位置に向けて押し戻すようにしながら第２リンク作動部材７８の球当接部７８ａの先端が摺接する摺接曲面８６ｅが形成されている。
【００９９】
第１特別球通路８０は、第１特別球通路接続部５６ａからの遊技球を遊技盤４の背面に向かって左側、すなわち遊技盤４の開閉軸線の反対側に送るように緩やかな傾斜を有して横方向に延びる第１横方向延設部８０ａ(図１９）と、これに続いて遊技球を下方に流下させるように上記開閉軸線の反対側（第１規制部材７９が配設されている側）を凸として湾曲する第１湾曲部８０ｂと、これに続いて遊技球を遊技盤４の背面に向かって左側、すなわち遊技盤４の開閉軸線の反対側に送るように緩やかな傾斜を有して横方向に延びる第２横方向延設部８０ｃ(図１９）と、これに続いて遊技球を第１接続孔５９ａまで下方に流下させるように上記開閉軸線の反対側（第２規制部材８６が配設されている側）を凸として湾曲する第２湾曲部８０ｄとを含む。
【０１００】
ここで、第１規制部材７９の球当接部７９ｄ及び第１リンク作動部材７７の球当接部７７ａは、第１特別球通路８０の第１湾曲部８０ｂにおいて遊技球と当接するように配設されている。すなわち、第１規制部材７９は、第１湾曲部８０ｂにて湾曲の外側から球当接部７９ｄを第１特別球通路８０内に突出させるように釣支されており、第１横方向延設部８０ａを通過した遊技球は、第１湾曲部８０ｂにて上記開閉軸線の反対側に向かう速度成分を有して第１規制部材７９が配設されている側に沿って球通路８０内を流下していく。これにより遊技球を規制部材と確実に当接させることができる。したがって、規制部材を遊技球により確実に係合解除位置に回動させることが可能となる。
【０１０１】
また、第１湾曲部８０ｂの曲率は、第１リンク作動部材７７の球当接部７７ａの回動半径と対応する曲率とされている。これにより、遊技球により第１リンク作動部材７７を初期位置から所定位置まで確実に回動させて、第１〜第５の可変入賞装置２７１〜２７５を一斉に開状態とすることが可能となる。
【０１０２】
更に、第２規制部材８６の球当接部８６ｄ及び第２リンク作動部材７８の球当接部７８ａは、第１特別球通路８０の第２湾曲部８０ｄにおいて遊技球と当接するように配設されている。すなわち、第２規制部材８６は、第２湾曲部８０ｄにて湾曲の外側から球当接部８６ｄを第１特別球通路８０内に突出させるように釣支されており、第２横方向延設部８０ｃを通過した遊技球は、第２湾曲部８０ｄにて上記開閉軸線の反対側に向かう速度成分を有して第２規制部材８６が配設されている側に沿って球通路８０内を流下していく。これにより遊技球を規制部材と確実に当接させることができる。したがって、規制部材を遊技球により確実に係合解除位置に回動させることが可能となる。
【０１０３】
更に、また、第２湾曲部８０ｄの曲率は、第２リンク作動部材７８の球当接部７８ａの回動半径と対応する曲率とされている。これにより、遊技球により第２リンク作動部材７８を初期位置から所定位置まで確実に回動させて、第６〜第１０の可変入賞装置２７６〜２７１０を一斉に開状態とすることが可能となる。
【０１０４】
また、遊技球を第１特別球通路８０により概ね遊技盤４の背面の中央よりも開閉軸線の反対側に流すようにすることによって、第１規制部材７９及び第２規制部材８６を遊技盤４の背面の中央よりも開閉軸線の反対側、一側端部の開閉軸線を中心に回動可能に支持された遊技盤４裏面側の回動端部寄りに各規制部材７９、８６を配設することが可能となり、遊技盤４の前側から片開き戸式に遊技盤４を開いて各規制部材７９、８６のメンテナンスを行うときに各規制部材７９、８６のメンテナンスが容易となる。
【０１０５】
また、リンク作動部材７７、７８、リンク機構６６、６７及び規制部材７９、８６が、複数個ずつ１つの球通路８０について設けられていることにより、球通路８０を流下する１つの遊技球により２つのリンク機構６６、６７を作動させて、多数の可変入賞装置２７を一斉に開状態とすることが可能となる。
【０１０６】
また、リンク作動部材付勢手段及び規制部材付勢手段を多数の錘を用いて構成していることにより、リンク機構６６、６７及び規制部材７９、８０に作用する付勢力を正確に設定することが可能となり、リンク機構６６、６７及び規制部材７９、８０をより確実に動作させることが可能となる。
【０１０７】
また、図１６等から明らかなように、翼開閉具３２の開放レバー３２ｈがリンク機構６６、６７の各構成部材よりもかなり小さくされていることから、ワイヤー等により各可変入賞装置２７の翼開閉具３２の開放レバー３２ｈを直接に押下することが困難になる。これにより、他に特別の防御策を施すことなく、より簡素な構造で不正行為を確実に防止することが可能となる。
【０１０８】
上述のように、上記実施例を要約すると、図２２からも明らかなように、各種入賞部（２６、２８、２７１〜２７５他）を有する遊技盤４に遊技球Wを流下させて、これら入賞部に遊技球Wを入球させ、当該入球を検知して所定の賞球を払い出すように構成した遊技機において、次の構成が備えられているのである。尚、以下において部材番号に括弧を付すのは、特定され得ない場合を予定しているためである。
即ち、上方に位置された開放リンク機構（リンク機構６６）を主体に説明すると、複数の可変入賞装置２７１及び２７５と少なくとも１つの特別入賞口２８とが設けられ、前記複数の可変入賞装置２７１及び２７５を開放させる開放リンク機構（リンク機構６６）を設け、前記特別入賞口２８に、入賞した遊技球Wを流下させる球通路８０が連設され、前記球通路８０に臨まされて前記遊技球Wに接当するリンク作動部材７８が前記開放リンク機構（リンク機構６６）に連動連結して設けられ、前記開放リンク機構（リンク機構６６）を、遊技球Wの位置エネルギーを用いて前記リンク作動部材７８により往動させて前記複数の可変入賞装置２７１及び２７５を開放させると共に前記開放リンク機構（リンク機構６６）の要部に分散配置した錘（７０d,７１d,７７e）の位置エネルギーを用いて復動させるように構成してある。
【０１０９】
そして、更に具体的には、前記開放リンク機構（リンク機構６６）が、前記複数の可変入賞装置２７１及び２７５を夫々開放駆動する複数の操作部（７０,７１）を有し、該各操作部（７０,７１）の一部に錘（７０d,７１d）が設けられている。
また、前記リンク作動部材７８と前記開放リンク機構（リンク機構６６）の一部とが支軸７７bを介して連動連結され、前記リンク作動部材78の一部に前記錘77eが設けられているのである。
【０１１０】
また、前記操作部（７０,７１）と前記開放リンク機構（リンク機構６６）の一部とが支軸（７０b,７１b）を介して連動連結され、該支軸（７０b,７１b）を介して前記操作部（７０,７１）の一部が延設されて支持アーム(７０e,７１e)に構成され、該支持アーム(７０e,７１e)に前記錘（７０d,７１d）が支持（固定）されている。
【０１１１】
更に、前記リンク作動部材７８と前記開放リンク機構（リンク機構６６）の一部からなる略L字形の上端部と、前記操作部（７０,７１）と前記開放リンク機構（リンク機構６６）の一部とからなる略L字形の上端部が、リンク機構の１本の連接部材７５に、前記支軸（７０b,７１b）と平行な軸心で枢着されてリンクが形成されているのである。
【０１１２】
また、下方に位置する開放リンク機構（リンク機構６７）を主体に説明すると、図２４からも明らかなように、次のように構成されている。
即ち、前記開放リンク機構（リンク機構６７）が、前記複数の可変入賞装置２７６〜２７１０を夫々開放駆動する複数の操作部（７２〜７４）を有し、更に、該各操作部（７２〜７４）の内の一つと前記リンク作動部材７８を連動連結する連結杆８７を有し、前記錘（８７a,７３d,７４d）が、前記連結杆８７と、前記リンク作動部材７８と連動連結する操作部７２以外の少なくとも一つの操作部（７３,７４）とに夫々設けられている。
そして、前記開放リンク機構（リンク機構６７）が、前記複数の可変入賞装置２７６〜２７１０を夫々開放駆動する複数の操作部（７２〜７４）を有し、更に、該各操作部（７２〜７４）の内の一つと前記リンク作動部材７８とを連動連結する連結杆８７を有し、前記錘（７３d,７４d）が、少なくとも二つの前記操作部（７３,７４）に分散されて設けられている。
更に、前記開放リンク機構（リンク機構６７）が、前記各操作部（７２〜７４）を作動させるための一本の連接部材７６を含み、該連接部材７６から少なくとも1本のアーム７６aが、該連接部材76の長手方向の軸線に対して傾斜して突設され、前記各操作部（７２〜７４）が夫々作用棒（７２c,７３c,７４c）を含み、少なくとも一つの操作部（７３）の作用棒（７３c）と前記アーム７６aとが中折れ状態で枢支連結され、他の操作部の作用棒（７２c,７４c）が前記連接部材76に夫々直接に枢支連結されている。
【０１１３】
（作用）
しかして、図２０（ａ）、図２０（ｂ）及び図２１に示すように、このような構成のパチンコ機１０において、第１特別入賞口２８に遊技球が入球し、入球した遊技球が第１特別入賞口孔５６を介して第１特別球通路８０に入って流下を開始すると、次の作用が開始される。
（１）図２０（ａ）に示すように、遊技球は、第１規制部材７９の球当接部７９ｄに当接し、これにより第１規制部材７９は係合解除位置に向かって回動する。
（２）次いで、図２０（ｂ）に示すように、遊技球は、第１規制部材７９との係合が解除された第１リンク作動部材７７の球当接部７７ａと当接し、これにより第１リンク作動部材７７は初期位置から所定位置に向かって回動する。
（３）第１リンク作動部材７７が所定位置に向かって回動すると、これに連結された第１リンク機構６６の第１連接部材７５が略並進するように作動して、第１操作部７０及び第５操作部７１が回動し、第１操作部７０及び第５操作部７１の押下棒７０ａ、７１ａが対応する翼開閉具３２の開放レバー３２ｈを押下して、対応する可変入賞装置２７１、２７５が開状態となる（図１７及び図１９参照）。
【０１１４】
（４）第１リンク作動部材７７が所定位置まで回動すると、遊技球はさらに流下を続け、これにより球当接部７７ａにおける遊技球との当接が解除された第１リンク作動部材７７は、初期位置に向かって回動を開始する。
（５）図２１に示すように、第１リンク作動部材７７が所定位置から初期位置に回動する間に、第１リンク作動部材７７の球当接部７７ａの先端は第１規制部材７９の摺接曲面７９ｅと摺接し、これにより第１規制部材７９は係合解除位置（方向）に向けて若干押し戻されて、第１リンク作動部材７７の球当接部７７ａが第１規制部材７９の係合部７９ａと係合する位置に至ると、この係合部７９aが凹部故に、接当抵抗が無くなり、この第１規制部材７９の錘７９ｃの附勢力で係合位置（方向）に向けて該第１規制部材７９が変位し、両者の係合が行われる。この状態（初期位置）では、第１リンク作動部材７７は回動し得なくり、この第１リンク作動部材７７と連結された第１リンク機構６６は動作が不可能となる。
（６）上記手順（４）からさらに流下を続けた遊技球は、第２規制部材８６の球当接部８６ｄに当接し、上述した同様の作用で、第２規制部材８６は係合解除位置に向かって回動する。
【０１１５】
（７）同様に、遊技球は、第２規制部材８６との係合が解除された第２リンク作動部材７８の球当接部７８ａと当接し、これにより第８リンク作動部材７８は初期位置から所定位置に向かって回動する。
（８）第２リンク作動部材７８が所定位置に向かって回動すると、これに連結された第２リンク機構６７の第２連接部材７６が略並進するように作動して、第２操作部７２、第３操作部７３及び第４操作部７４が対応する可変入賞装置２７２、２７３、２７４を開状態とするように回動する（図１７及び図１９参照）。
（９）第２リンク作動部材７８が所定位置まで回動すると、遊技球はさらに流下を続け、これにより球当接部７８ａにおける遊技球との当接が解除された第２リンク作動部材７８は、初期位置に向かって回動を開始する。
【０１１６】
（１０）第２リンク作動部材７８が所定位置から初期位置に回動する間に、第２リンク作動部材７８の球当接部７８ａの先端は第２規制部材８６の摺接曲面８６ｅと摺接し、これにより第２規制部材８６は係合解除位置に向けて若干押し戻されて、第２リンク作動部材７８の球当接部７８ａが第２規制部材８６の係合部８６ａと係合する位置に至ると、この係合部８６aが凹部故に、接当抵抗が無くなり、この第２規制部材８６の錘８６ｃの附勢力で係合位置（方向）に向けて該第２規制部材８６が変位し、両者の係合が行われる。この状態では、第２リンク作動部材７８は回動し得なくり、この第２リンク作動部材７８と連結された第２リンク機構６７は動作が不可能となる。
したがって、例えばワイヤーなどを遊技盤４の裏面側に侵入させ、これにより第１リンク機構６６又は第２リンク機構６７の各構成部材に力を加えて各可変入賞装置を開状態にしようとしても第１リンク機構６６を動作させることは略不可能となり、そのような不正を防止することが可能となる。
【０１１７】
〔要部の変形例〕
以下、図２４及び図２５を参照して、本発明の要部の変形例を説明する。図２４は、リンク作動部材が初期位置にあるときの概念図である。図２５は、リンク作動部材が所定位置にあるときの概念図である。
【０１１８】
先ず、要約して説明すると、開放リンク機構としての連動機構８８が、前記複数の可変入賞装置（図外）を夫々開放駆動する複数の操作部（９８，９９）を有し、更に、所定の軸心（O）周りに回動自在に設けた回転板９１を有し、前記回転板９１には、その回転軸心（O）とは異なる軸心（O’）を中心としたガイド長孔９１aが設けられ、前記操作部（９８，９９）の一部が前記ガイド長孔９１aに係合し、前記リンク作動部材８９の一部が前記回転板９１に連結されており、前記回転板９１の回動によって前記ガイド長孔９１aがカム作用を発揮して前記操作部（９８，９９）を作動させるように構成されている。
このように開放リンク機構としての連動機構８８を、回転板91と、これに設けたガイド長孔９１aと、これに係合する操作部（９８，９９）とから構成したことにより、操作部（９８，９９）の作動を、回転を主体とし、カム作用によって駆動することができ、リンクアームを用いる形式に比較して構造が簡単で、動きがスムースになり、可変入賞装置の駆動がスムースに行い得る。また、回転板９１を用いることで作動上のトラブルも少なくて済み、トラブル発生も少ない。
【０１１９】
更に、前記各操作部（９８，９９）が、夫々支軸（９２c,９３ｃ）周りに回動自在に設けられた1本のレバー押下部材（９２，９３）から構成され、前記錘（９１ｂ,９２d,９３ｄ）が、前記回転板９１と、前記レバー押下部材（９２，９３）とに分散配置されているものである。
このように、レバー押下部材に錘（９２d,９３ｄ）を分散配置（復動作用を行う配置）することで、錘（９２d,９３ｄ）がレバー押下部材（９２，９３）の突起(９２b,９３b)をガイド長孔９１aの面に押し付ける作用を成し、両者の常時接当を確保できて、リンク作動部材８９8に対する負荷がリリースされたときに（遊技球が外れる）、回転板９１を回動させるカム作用を確実に発生させることができる。
そして、回転板９１にも錘９１bが配置されていることで、この回転板９１自ら復動するように回転モーメントを発生さることができて、前記レバー押下部材（９２，９３）の側と回転板９１の側とから連動機構８８の復動が行われることになり、より一層確実、且つスムースに行われる。
【０１２０】
以下、その構造について、図面を参照して具体的に説明する。
上記最良の形態では、開放リンク機構としての第１リンク機構６６（第２リンク機構６７）の各操作部７０、７４（７１、７２、７３）を、対応する可変入賞装置２７の近傍に設けられた支軸７０ｂ、７４ｂ（７１ｂ、７２ｂ、７３ｂ）により支持するものとしていた。この要部の変形例ではそのような開放リンク機構の各構成部材の配設位置の制約を少なくして遊技機の設計の自由度を高めようとするものである。
【０１２１】
すなわち、要部の変形例では、開放リンク機構としての連動機構８８は、連動機構８８を作動させる第３リンク作動部材８９と一体的に回動するように第３リンク作動部材８９と結合された回転板９１と、回転板９１の回動により揺動し、これにより各可変入賞装置２７（第１可変入賞装置２７１及び第５可変入賞装置２７５）の翼開閉具３２の開放レバー３２ｈを押下して各可変入賞装置２７を開状態とする第１レバー押下部材９２及び第２レバー押下部材９３とを含む。なお、他の可変入賞装置２７（例えば、第２可変入賞装置２７２及び第４可変入賞装置２７４）について上記連動機構８８と同様の連動機構を設けることももちろん可能である。
【０１２２】
ここで、第３リンク作動部材８９は、回転板９１の回転中心Ｏの周りに回動するものとされるほか、その先端部に球当接部８９ａが設けられている点と、この球当接部８９ａが第１特別球通路８０を流下する遊技球と当接するように第１特別球通路８０の第１湾曲部８０ｂに差し入れられ且つ第３規制部材１７９と係合部１７９ａにより係合して回動が阻止されている点と、第１特別球通路８０を流下する遊技球が第３規制部材１７９と当接し、これにより第３規制部材１７９との係合が外れて回動可能となる点と、第３規制部材１７９との係合が外れた状態で球当接部８９ａに当接した遊技球により初期位置から所定位置まで回動される点とにおいて、実施形態１の第１リンク作動部材７７と同様である。
第１レバー押下部材９２及び第２レバー押下部材９３は、一端部が、対応する可変入賞装置２７の翼開閉具３２の開放レバー３２ｈを押下するレバー押下部９２ａ、９３ａとされ、他端部に突起９２ｂ、９３ｂが設けられた細長い棒状部材であり、遊技盤４の裏面に垂直な軸の周りに回動するよう中間部分の所定位置にて支軸９２ｃ、９３ｃによりに支持されている。
尚、前記係合部１７９aは凹部に形成され、第3リンク作動部材８９の球当接部８９ａの先端の切り欠き爪状（ガンギ爪）８９bに形成された部分と噛み合う形状とされ、その係合状態においては、前記第3リンク作動部材８９の側を不正に押し引き操作したとしても、その係合が容易に外れず、第３規制部材１７９の側が変位することによってその係合が外れるように構成されている。
【０１２３】
前記回転板９１は、遊技盤４の裏面に垂直な軸の周りに回動するように且つ遊技盤４の裏面と平行に軸支された板状部材であり、第１レバー押下部材９２及び第２レバー押下部材９３の突起９２ｂ、９３ｂが遊嵌され、第３リンク作動部材８９が初期位置と所定位置との間を回動するのに伴って回転板９１が回転する間、上記突起９２ｂ、９３ｂと係合するガイド長孔９１ａと、リンク作動部材付勢手段としての錘９１ｂとを有している。ガイド長孔９１ａは、第３リンク作動部材８９が初期位置と所定位置との間を回動するときに、このガイド長孔９１ａと係合する上記突起９２ｂ、９３ｂを所定範囲で上下動させるように形成されている。この上下動により、第１レバー押下部材９２及び第２レバー押下部材９３が対応する可変入賞装置２７を開状態とするように支軸９２ｃ、９３ｃを中心に揺動する。
【０１２４】
すなわち、第３リンク作動部材８９が初期位置にあるときにガイド長孔９１ａに遊嵌された上記突起９２ｂ、９３ｂが位置Ａにあるものとし、第３リンク作動部材８９が所定位置にあるときに上記突起９２ｂ、９３ｂが位置Ｂにあるものとすれば、回転板９１の回動中心Ｏと上記位置Ｂとの距離Ｌ２が、上記回動中心Ｏと上記位置Ａとの距離Ｌ１よりも所定距離Ｌ３長くなるようにガイド長孔９１ａは形成されている。１つの例としては、上記回動中心Ｏの鉛直下方の点Ｏ´を曲率円の中心とする曲率半径（Ｏ´−Ａ）の円弧に沿ってガイド長孔９１ａを形成すればよい。
【０１２５】
これにより、第３リンク作動部材８９が初期位置から所定位置に回動すると上記突起９２ｂ、９３ｂが上方に移動し、支軸９２ｃ、９３ｃを中心に第１レバー押下部材９２及び第２レバー押下部材９３が回動してレバー押下部９２ａ、９３ａが下方に移動し、対応する可変入賞装置２７の翼開閉具３２の開放レバー３２ｈが押下されて当該可変入賞装置２７が開状態となる。
【０１２６】
前記錘９１ｂは、上記回動中心Ｏに対して第３リンク作動部材８９が所定位置から初期位置に向かって回動するように付勢力を生じる側で、且つ第３リンク作動部材８９が所定位置まで回動したときに上記回動中心Ｏの略真横に位置するようにその配設位置が設定されている。これにより、第３リンク作動部材８９が所定位置にあるときに第３リンク作動部材８９を初期位置に向かって回動させるための付勢力を最大とすることが可能となる。
ここで、第３リンク作動部材８９の回動による第１レバー押下部材９２及び第２レバー押下部材９３のレバー押下部９２ａ、９３ａの上下方向の移動量は、上記距離Ｌ３と各押下部材９２、９３における支軸９２ｃ、９３ｃの配設位置とにより決まるものである。このため、上記距離Ｌ３を調整することによって、各可変入賞装置２７を開状態とするのに必要とされるレバー押下部９２ａ、９３ａの上下方向の移動量を確保しつつ各支軸９２ｃ、９３ｃの配設位置を自由に設定することが可能となる。加えて、第１レバー押下部材９２及び第２レバー押下部材９３の長さを調整するだけで回転板９１の支軸の位置（回動中心Ｏ）を上下方向に移動することも可能である。
したがって、開放リンク機構としての連動機構８８の各構成部材の配設位置の制約を少なくして遊技機の設計の自由度を高めることができる。
【０１２７】
（その他の事項）
（１）規制部材（第１規制部材７９、第２規制部材８６）の配設箇所を覆うように、パチンコ機１０を制御するための、例えば、ＬＥＤ（Light Emitting Diode：発光ダイオード）を内蔵する発光部材２７ｅを、入賞口への入球に対応させて発光させる制御基板、更には、遊技球の払い出し制御等の制御基板１００（図１９、図２０に破線で示す）を設けるのがよい。
この場合、上記制御基板１００は、遊技盤に対して着脱自在に固定しても、或いは、遊技盤乃至遊技機本体に開閉自在に設けられたフレームに対して取り付けて、このフレームに着脱自在に固定するようにしてもよい。
【産業上の利用可能性】
【０１２８】
以上のように、本発明は、パチンコ機等の遊技機に適している。
【図面の簡単な説明】
【０１２９】
【図１】パチンコ機の正面図。
【図２】外枠に対して内枠と前面枠セットとセット板とを開放した状態を示す斜視図。
【図３】パチンコ機から前面枠セットを取り外した状態を示す内枠の正面図。
【図４】内枠の斜視図。
【図５】遊技盤の構成を示す正面図。
【図６】開状態の可変入賞装置の斜視図。
【図７】開状態の可変入賞装置の正面図（ａ）及び斜視図（ｂ）。
【図８】閉状態の可変入賞装置の斜視図。
【図９】閉状態の可変入賞装置の正面図（ａ）及び斜視図（ｂ）。
【図１０】可変入賞装置の分解斜視図。
【図１１】翼開閉具の正面図（ａ）、平面図（ｂ）及び左側面図（ｃ）。
【図１２】閉状態の翼開閉具及び可動翼の斜視図（ａ）及び開状態の翼開閉具及び可動翼の斜視図。
【図１３】開状態の可変入賞装置の横断面図（ａ）及び閉状態の可変入賞装置の横断面図（ｂ）。
【図１４】遊技盤裏側の斜視図。
【図１５】遊技盤裏側の分解図。
【図１６】リンク作動部材が初期位置にあるときの遊技盤裏側の斜視図。
【図１７】リンク作動部材が所定位置にあるときの遊技盤裏側の斜視図。
【図１８】リンク作動部材が初期位置にあるときの遊技盤の背面図。
【図１９】リンク作動部材が所定位置にあるときの遊技盤の背面図。
【図２０】リンク作動部材が初期位置にあるときの配設位置における拡大図（ａ）及びリンク作動部材が所定位置にあるときの配設位置における拡大図。
【図２１】リンク作動部材が所定位置から初期位置に戻るときの様子を示す拡大図。
【図２２】開閉リンク機構の第１リンク機構の作動を示す概念図。
【図２３】開閉リンク機構の第２リンク機構の作動を示す概念図。
【図２４】本発明の実施形態２の要部の一作用を示す概念図。
【図２５】本発明の実施形態２の要部の一作用を示す概念図。
【符号の説明】
【０１３０】
４：遊技盤
１０：パチンコ機
２７：可変入賞装置
２８：第１特別入賞口２８
２９：第２特別入賞口２９
３１：可動翼
３２：翼開閉具
６６：第１リンク機構６６
６７：第２リンク機構６７
７０d：錘
７１d：錘
７３d：錘
７４d：錘
７７e：錘
７７：第１リンク作動部材７７
７８：第２リンク作動部材７８
７９：第１規制部材７９
８０：第１特別球通路８０（球通路）
８６：第２規制部材８６
８７a：錘
【図１】
2008119187.tif 000003
【図２】
2008119187.tif 000004
【図３】
2008119187.tif 000005
【図４】
2008119187.tif 000006
【図５】
2008119187.tif 000007
【図６】
2008119187.tif 000008
【図７】
2008119187.tif 000009
【図８】
2008119187.tif 000010
【図９】
2008119187.tif 000011
【図１０】
2008119187.tif 000012
【図１１】
2008119187.tif 000013
【図１２】
2008119187.tif 000014
【図１３】
2008119187.tif 000015
【図１４】
2008119187.tif 000016
【図１５】
2008119187.tif 000017
【図１６】
2008119187.tif 000018
【図１７】
2008119187.tif 000019
【図１８】
2008119187.tif 000020
【図１９】
2008119187.tif 000021
【図２０】
2008119187.tif 000022
【図２１】
2008119187.tif 000023
【図２２】
2008119187.tif 000024
【図２３】
2008119187.tif 000025
【図２４】
2008119187.tif 000026
【図２５】
2008119187.tif 000027